【手続補正書】
【提出日】平成26年4月3日(2014.4.3)
【手続補正１】
【補正対象書類名】特許請求の範囲
【補正対象項目名】全文
【補正方法】変更
【補正の内容】
【特許請求の範囲】
【請求項１】
ゴーストアーチファクトを低減するためのデジタルビデオシーケンスのノイズフィルタリングの方法であって、
参照フレームに基づいて前記デジタルビデオシーケンスのフレーム内の画素について動き値を演算することと、
前記動き値に基づいて前記画素について混合ファクタを演算することと、
前記参照フレームおよび前記フレーム内の対応する画素値に前記混合ファクタを適用することによって、フィルタされた出力画素値を生成することであって、ゴーストアーチファクトを低減するため、選択されたフィルタされた出力画素値が前記フレーム内の対応する画素値に向かって収束され、フィルタされた出力画素値を生成することが、前記フィルタされた出力画素値が前記参照フレーム内の対応する画素値に等しいときに、前記フィルタされた出力画素値を前記フレーム内の対応する画素値に近づくように動かすために、フィルタされた出力画素値を１だけインクリメントまたはデクリメントすることを含む、前記生成することと、
前記フィルタされたフレームを出力することと、
を含む、方法。
【請求項２】
請求項１に記載の方法であって、
前記選択されたフィルタされた出力画素値が、前記フレーム内の前記対応する画素値に向かって即座に収束される、方法。
【請求項３】
請求項１に記載の方法であって、
前記選択されたフィルタされた出力画素値が、前記フレーム内の前記対応する画素値に向かって段階的に収束される、方法。
【請求項４】
請求項１に記載の方法であって、
フィルタされた出力画素値を生成することが、前記フィルタされた出力画素値が前記参照フレーム内の対応する画素値に等しいときに、フィルタされた出力画素値を前記フレーム内の対応する画素値で置き換えることを含む、方法。
【請求項５】
請求項１に記載の方法であって、
混合ファクタを演算することが、
（２（ａ０＋（１−ａ０）ｍ（ｘ，ｙ，ｎ）／Ｔｍ）ｍ（ｘ，ｙ，ｎ）＞＝３）のときに混合ファクタをａ０＋（１−ａ０）ｍ（ｘ，ｙ，ｎ）／Ｔｍとして演算することと、
ｍ（ｘ，ｙ，ｎ）＝Ｔｍまたはｍ（ｘ，ｙ，ｎ）＝０のときに混合ファクタを１として演算することと、
その他の場合に混合ファクタを３／（２×ｍ（ｘ，ｙ，ｎ））として演算することと、
を含み、
ここで、ｎは前記フレームの番号であり、ｘおよびｙは画素座標であり、ｍ（ｘ，ｙ，ｎ）は動き値であり、Ｔｍは動き閾値であり、ａ０は強度パラメータである、方法。
【請求項６】
請求項１に記載の方法であって、
混合ファクタを演算することが、
（２（ａ０＋（１−ａ０）ｍ（ｘ，ｙ，ｎ）／Ｔｍ）ｍ（ｘ，ｙ，ｎ）＞＝３）およびｍ（ｘ，ｙ，ｎ）＜Ｔｍのときに混合ファクタをａ０＋（１−ａ０）ｍ（ｘ，ｙ，ｎ）／Ｔｍとして演算することと、
その他の場合に混合ファクタを１として演算することと、
を含み、
ここで、ｎは前記フレームの番号であり、ｘおよびｙは画素座標であり、ｍ（ｘ，ｙ，ｎ）は動き値であり、Ｔｍは動き閾値であり、ａ０は強度パラメータである、方法。
【請求項７】
請求項１に記載の方法であって、
前記動き値を演算する前に、前記フレームに空間フィルタを適用することをさらに含む、方法。
【請求項８】
ゴーストアーチファクトを低減するためにデジタルビデオシーケンスをフィルタリングするノイズフィルタであって、
参照フレームとして用いられる前記ノイズフィルタの出力フレームをストアするように構成されるフレームバッファ構成要素と、
前記参照フレームに基づいて前記デジタルビデオシーケンスのフレーム内の画素について動き値を演算するように構成される動き検出構成要素と、
前記動き値に基づいて前記画素について混合ファクタを演算するように構成される動き−混合ファクタ変換構成要素と、
前記参照フレームおよび前記フレーム内の対応する画素値に前記混合ファクタを適用することによって、フィルタされた出力画素値を生成するように構成されるフレーム混合構成要素であって、ゴーストアーチファクトが低減されるように、選択されたフィルタされた出力画素値が前記フレーム内の対応する画素値に向かって収束され、前記フレーム混合構成要素が、前記フィルタされた出力画素値が前記参照フレーム内の対応する画素値に等しいときに、前記フィルタされた出力画素値を前記フレーム内の対応する画素値に近づくように動かすために、フィルタされた出力画素値を１だけインクリメントまたはデクリメントすることと、前記フィルタされた出力画素値が前記参照フレーム内の対応する画素値に等しいときに、フィルタされた出力画素値を前記フレーム内の対応する画素値で置き換えることと、からなるグループから選択される１つを実行するように構成される、前記フレーム混合構成要素と、
を含む、ノイズフィルタ。
【請求項９】
請求項８に記載のノイズフィルタであって、
前記選択されたフィルタされた出力画素値が、前記フレーム内の前記対応する画素値に向かって即座に収束される、ノイズフィルタ。
【請求項１０】
請求項８に記載のノイズフィルタであって、
前記選択されたフィルタされた出力画素値が、前記フレーム内の前記対応する画素値に向かって段階的に収束される、ノイズフィルタ。
【請求項１１】
請求項８に記載のノイズフィルタであって、
前記動き−混合ファクタ変換構成要素が、
（２（ａ０＋（１−ａ０）ｍ（ｘ，ｙ，ｎ）／Ｔｍ）ｍ（ｘ，ｙ，ｎ）＞＝３）のときに混合ファクタをａ０＋（１−ａ０）ｍ（ｘ，ｙ，ｎ）／Ｔｍとして演算し、
ｍ（ｘ，ｙ，ｎ）＝Ｔｍまたはｍ（ｘ，ｙ，ｎ）＝０のときに混合ファクタを１として演算し、
その他の場合に混合ファクタを３／（２×ｍ（ｘ，ｙ，ｎ））として演算する、
ように構成され、
ここで、ｎは前記フレームの番号であり、ｘおよびｙは画素座標であり、ｍ（ｘ，ｙ，ｎ）は動き値であり、Ｔｍは動き閾値であり、ａ０は強度パラメータである、ノイズフィルタ。
【請求項１２】
請求項８に記載のノイズフィルタであって、
前記動き−混合ファクタ変換構成要素が、
（２（ａ０＋（１−ａ０）ｍ（ｘ，ｙ，ｎ）／Ｔｍ）ｍ（ｘ，ｙ，ｎ）＞＝３）およびｍ（ｘ，ｙ，ｎ）＜Ｔｍのときに混合ファクタをａ０＋（１−ａ０）ｍ（ｘ，ｙ，ｎ）／Ｔｍとして演算し、
その他の場合に混合ファクタを１として演算する、
ように構成され、
ここで、ｎは前記フレームの番号であり、ｘおよびｙは画素座標であり、ｍ（ｘ，ｙ，ｎ）は動き値であり、Ｔｍは動き閾値であり、ａ０は強度パラメータである、ノイズフィルタ。
【請求項１３】
請求項８に記載のノイズフィルタであって、
前記フレームに空間フィルタを適用するように構成される空間フィルタ構成要素をさらに含む、ノイズフィルタ。
【請求項１４】
ゴーストアーチファクトを低減するためにデジタルビデオシーケンスをフィルタリングするように構成されるデジタルシステムであって、
参照フレームとして用いられるフィルタされた出力フレームをストアするための手段と、
前記参照フレームに基づいて前記デジタルビデオシーケンスのフレーム内の画素について動き値を演算するための手段と、
前記動き値に基づいて前記画素についての混合ファクタを演算する手段と、
前記参照フレームおよび前記フレーム内の対応する画素値に前記混合ファクタを適用することによって、フィルタされた出力画素値を生成する手段であって、ゴーストアーチファクトを低減するように、選択されたフィルタされた出力画素値が前記フレーム内の対応する画素値に向かって収束され、前記フィルタされた出力画素値を出力する手段が、前記フィルタされた出力画素値が前記参照フレーム内の対応する画素値に等しいときに、前記フィルタされた出力画素値を前記フレーム内の対応する画素値に近づくように動かすために、フィルタされた出力画素値を１だけインクリメントまたはデクリメントすることと、前記フィルタされた出力画素値が前記参照フレーム内の対応する画素値に等しいときに、フィルタされた出力画素値を前記フレーム内の対応する画素値で置き換えることと、からなるグループから選択される１つを実行する、前記手段と、
を含む、デジタルシステム。
【請求項１５】
請求項１４に記載のデジタルシステムであって、
前記混合ファクタを演算する手段が、
（２（ａ０＋（１−ａ０）ｍ（ｘ，ｙ，ｎ）／Ｔｍ）ｍ（ｘ，ｙ，ｎ）＞＝３）のときに混合ファクタをａ０＋（１−ａ０）ｍ（ｘ，ｙ，ｎ）／Ｔｍとして演算し、
ｍ（ｘ，ｙ，ｎ）＝Ｔｍまたはｍ（ｘ，ｙ，ｎ）＝０のときに混合ファクタを１として演算し、
その他の場合に混合ファクタを３／（２×ｍ（ｘ，ｙ，ｎ））として演算し、
ここで、ｎは前記フレームの番号であり、ｘおよびｙは画素座標であり、ｍ（ｘ，ｙ，ｎ）は動き値であり、Ｔｍは動き閾値であり、ａ０は強度パラメータである、デジタルシステム。
【請求項１６】
請求項１４に記載のデジタルシステムであって、
前記混合ファクタを演算する手段が、
（２（ａ０＋（１−ａ０）ｍ（ｘ，ｙ，ｎ）／Ｔｍ）ｍ（ｘ，ｙ，ｎ）＞＝３）およびｍ（ｘ，ｙ，ｎ）＜Ｔｍのときに混合ファクタをａ０＋（１−ａ０）ｍ（ｘ，ｙ，ｎ）／Ｔｍとして演算し、
その他の場合に混合ファクタを１として演算し、
ここで、ｎは前記フレームの番号であり、ｘおよびｙは画素座標であり、ｍ（ｘ，ｙ，ｎ）は動き値であり、Ｔｍは動き閾値であり、ａ０は強度パラメータである、デジタルシステム。
【請求項１７】
請求項１４に記載のデジタルシステムであって、
前記フレームに空間フィルタを適用する手段を更に含む、デジタルシステム。